(57)【要約】【課題】従来の様に支持軸の両側をストップリングで止めるものの場合には、支持軸が軸方向に動くことがある。そこで支持軸が微動だにせず固定され得る支持構造を提供することを目的とする。【解決手段】支持軸１５の両端部分をフレーム１９の取付穴１８ａ，１６ａに取り付けるものにおいて、止め部材（例えばストップリング）１１が、支持軸１５の一方端側に取り付けられるものであって、支持軸１５に係止される支持軸係止部１２と、フレーム１９の軸受１８に係止されるフレーム係止部１４とを備えたものである。【選択図】  図４
2004272119.tif 000002
【特許請求の範囲】
【請求項１】
支持軸と、この支持軸を両端部分で軸支するべくフレームに設けられたそれぞれの軸受と、この軸受に対し前記支持軸の軸心方向における取付深さを規制する止め部材とを備えた支持構造において、
前記止め部材は、前記支持軸の一方端側に取り付けられるものであって、前記支持軸に係止される支持軸係止部と、前記フレームに係止されるフレーム係止部とを備えたものであることを特徴とする支持構造。
【請求項２】
前記支持軸は、その外周部に止め部材係止用の溝部を有し、
前記止め部材の前記支持軸係止部は、一方が開放され前記溝部に係合可能なリング状であり、
前記フレームは、前記支持軸の軸方向と直交する方向に突出した凸部またはこの方向に窪んだ凹部もしくは貫通孔部を備え、
前記止め部材の前記フレーム係止部は、前記凸部に係合可能な凹部もしくは貫通孔部、または前記フレームの凹部もしくは貫通孔部に係合可能な凸部を備えたものである請求項１に記載の支持構造。
【請求項３】
請求項１または２に記載の支持構造を画像処理機能部に備え、この画像処理機能部における画像処理機能の少なくとも一部を搭載する移動部が、前記支持軸に沿って移動するものであることを特徴とする画像形成装置。
【請求項４】
前記移動部は、
原稿面を照射する光源と、
原稿面からの反射光束を受光する受光センサーと、
前記光源と前記受光センサー間に形成される光路上に配設され、前記反射光束を受光センサーの受光面で結像させる光学系と
を備えた画像読取ユニットを有してなる請求項３に記載の画像形成装置。
【発明の詳細な説明】
【０００１】
【発明の属する技術分野】
本発明は、主に画像形成装置に用いられる支持構造、及びこれを有する画像形成装置に関するものである。
【０００２】
【従来の技術】
図８は複写機の画像読取部を示す斜視図である。画像読取部６０は原稿画像を読み取る部分であり、スキャナーフレーム６１と、光学系部材を搭載する走査動作部（移動部）６２と、この走査動作部６２を移動させるベルト６３と、このベルト６３を駆動するモータ６４と、走査動作部６２の一方端側を支えこの走行動作をガイドする支持軸６５と、この支持軸６５と対向して形成され走査動作部６２の他方端を支える支持レール６７とを備えている。また画像読取部６０の上面にはコンタクトガラス（図示せず）が取り付けられている。尚上記走査動作部６２は、原稿を照射する光源やその反射光をＣＣＤ等に導くためのミラー等から構成されている。
【０００３】
原稿画像の読み取りに際しては、コンタクトガラス上に置かれた原稿に対して、走査動作部６２を移動させつつ（矢印Ｃ）原稿画像の濃度パターンをＣＣＤによって読み取り、この画像データを複写機本体の露光部（図示せず）に出力する。このとき走査動作部６２は、支持軸６５と支持レール６７によってその両側をそれぞれ支持されて移動するが、この支持が不安定であると走査動作部６２の走行が円滑に行われず、画像の乱れとなって現れることから、支持軸６５には高い位置精度が求められる。尚支持レール６７は走査動作部６２の他方端がスライド可能に載置されているだけであるので、走査動作部６２の位置精度は専ら支持軸６５に委ねられる。
【０００４】
図９は従来におけるフレーム６１への支持軸６５の固定状態を表す断面図であり、図１０はこの支持軸６５の一方端側の取付の様子を表す斜視図である（従来例▲１▼）。
【０００５】
フレーム６１には、支持軸両端の取付位置に対応して、取付穴６８ａを有する軸受６８がそれぞれ形成されている。支持軸６５の取付にあたっては、まず一方の取付穴６８ａに支持軸６５の一方端側を深く装入する（例えば図９，１０の矢印Ａ）。この様に支持軸６５の一方端側を深く装入するのは、支持軸６５の長手方向が両軸受６８の間に入るようにする為であり、続いて支持軸６５の他方端側を他方の取付穴６８ａに装入することによって（図９の矢印Ａ’）、深く装入した一方端側を少し抜き戻し（図９の矢印Ｄ）、これにより支持軸６５を所定位置に位置させる。次いで支持軸６５の両側端近傍に設けられた両方の溝部６５ａにストップリング６９Ｒ，６９Ｌを嵌着させて（図１０の矢印Ｂ）、支持軸６５を固定する。
【０００６】
このとき軸受６８とストップリング６９Ｒ，６９Ｌの装着位置との間に全く遊びがないと、ストップリング６９Ｒ，６９Ｌを溝部６５ａに滑り込ませることが非常に困難になることから、ストップリング６９Ｒ，６９Ｌと軸受６８の間には極僅かな隙間Ｓ１が形成されている。
【０００７】
支持軸６５の取付構造としては、図９，１０の様にストップリング６９Ｒ，６９Ｌをフレームの軸受６８より内側に装着するものの他、貫通孔タイプの軸受に支持軸６５を挿通し、フレームの軸受より外側にストップリングを装着させるタイプもある（従来例▲２▼）。図１１はこのタイプの取付機構を示す断面図であり、フレーム６１に形成された取付穴７８ａに、軸受７５を介して支持軸６５が貫通してセットされ、取付穴７８ａより外側において支持軸６５の溝部６５ａにストップリング（止め輪）７９Ｒ，７９Ｌが嵌着されている（例えば特許文献１の図１，６参照）。
【０００８】
この従来例▲２▼のタイプにおいてもストップリング７９Ｒ，７９Ｌの取付操作に支障がない様に、ストップリング７９Ｒ，７９Ｌの取付箇所に遊び（隙間Ｓ２）が設けられている。
【０００９】
【特許文献１】
特開平５−１３４４９５号公報（特に図１，６）
【特許文献２】
特開平１０−１３２９０号公報（特に図３，６）
【００１０】
【発明が解決しようとする課題】
以上の様に従来の支持構造は、支持軸の両端にストップリングを取り付けることによって、支持軸の長手方向の移動を規制しているが、上述の様にストップリング取付操作の為の隙間Ｓ１，Ｓ２を有する為に、この隙間Ｓ１，Ｓ２の幅だけ支持軸が軸方向に移動することがある。
【００１１】
詳細に説明すると、支持軸６５の位置決めは、例えば従来例▲１▼では、図９に示す支持軸６５の右側においてストップリング６９Ｒによって装入方向Ａ（図の右側へ向かう方向）へ更に装入されることが規制され、且つ支持軸６５の左側においてストップリング６９Ｌによって装入方向Ａ’（図の左側へ向かう方向）へ更に装入されることが規制され、これら両方の規制によって支持軸６５の固定を図っているが、支持軸６５の右側において抜出方向Ｄへの移動は規制されず、また支持軸６５の左側において抜出方向Ｄ’への移動は規制されないから、装入操作円滑化の為に設けられた隙間Ｓ１の幅だけ、支持軸６５が軸方向に移動できることとなる。また図１１に示す従来例▲２▼では、ストップリング７９Ｒ，７９Ｌによって抜出方向Ｄ，Ｄ’の移動は規制されるものの、装入方向Ａ，Ａ’への移動は規制されないから、隙間Ｓ２の幅だけ支持軸６５が軸方向に移動できる。いずれにせよ、従来の支持構造では支持軸６５の軸方向の移動を完全に防止することができない。
【００１２】
この移動は極めて小さいものではあるものの、例えば画像読取部６０の画像読み取りに際して、極めて高精度の画像データを得る為には、走査動作部６２の走行を支持する支持軸が微動だにせず固定されることが求められる。
【００１３】
尚、軸の一方端側を完全に固定したものとして、図１２［従来における軸の一方端側固定タイプを示す断面図］に示す様に、軸８５にフランジ８５ｂを設け、これを軸受８１に当接させることにより装入方向Ａへの移動を規制し、且つ軸８５の先端近傍に設けた溝部８５ａにストップリング８９を装着することによって、抜出方向Ｄへの移動を規制するものがある（従来例▲３▼）（例えば、特許文献２の図３，６参照）。
【００１４】
しかしながらフレームの両壁の間に軸を入れて、該軸の両端をそれぞれフレームに取り付けるものの場合においては、上述の様に軸装着時に先ず一方端側を深く装入する必要があり、上記従来例▲３▼ではフランジ８５ｂによって深く装入することができないから、取り付けられない。
【００１５】
そこで本発明では、支持軸の両端側をそれぞれフレームに取り付けるものの場合において、支持軸がよりしっかりと固定され得る支持構造を提供することを目的とする。またこの様な支持構造を備えることにより、より高精度の画像データを得ること等のできる画像形成装置を提供することを目的とする。
【００１６】
【課題を解決するための手段】
本発明に係る支持構造は、支持軸と、この支持軸を両端部分で軸支するべくフレームに設けられたそれぞれの軸受と、この軸受に対し前記支持軸の軸心方向における取付深さを規制する止め部材（例えばストップリング）とを備えた支持構造において、前記止め部材は、前記支持軸の一方端側に取り付けられるものであって、前記支持軸に係止される支持軸係止部と、前記フレームに係止されるフレーム係止部とを備えたものであることを特徴とする。
【００１７】
上記の様に本発明の止め部材は、支持軸係止部とフレーム係止部の両方を備えるから、１つの止め部材で支持軸の両軸方向（装入方向及び抜出方向）への移動を規制することができる。従って止め部材は支持軸の一方端側にだけに取り付けることとなって、従来の様に支持軸の両端側をストップリング（止め部材）を装着する為に必要であった隙間Ｓ１，Ｓ２が不要となり、その結果、支持軸はよりしっかりと固定される。また止め部材取付前は、支持軸を軸受に深く装入することが可能であるから、支持軸の両端側をそれぞれフレームに取り付けるタイプであっても、フレームへの支持軸の取付操作に支障がない。
【００１８】
しかも本発明では、止め部材を支持軸の両側に取り付けずに、一方端側に取り付ける操作だけで済むから、組立作業が簡素化され、加えて止め部材の部品点数も削減され、また支持軸に止め部材取付用の溝等を形成する為の加工に関しても一方端側だけで済むから、製造コストが低減される。
【００１９】
尚フレームに設けられた上記軸受としては、支持軸装入用の貫通孔が形成されたものや、有底の穴が形成されたもの等が挙げられる。
【００２０】
更に本発明の支持構造においては、前記支持軸がその外周部に止め部材係止用の溝部を有し、前記止め部材の前記支持軸係止部が、一方が開放され前記溝部に係合可能なリング状であり、前記フレームが、前記支持軸の軸方向と直交する方向に突出した凸部またはこの方向に窪んだ凹部もしくは貫通孔部を備え、前記止め部材の前記フレーム係止部が、前記凸部に係合可能な凹部若しくは貫通孔部、または前記フレームの凹部もしくは貫通孔部に係合可能な凸部を備えたものであることが好ましい。
【００２１】
この場合、支持軸の溝部に止め部材の支持軸係止部を装着する操作は、支持軸の軸方向との直交する方向に止め部材を装入することになるが、この操作と同時に上記フレームの凸部等に止め部材のフレーム係止部の凹部等を係合させることができるから、止め部材の取付操作が簡便である。またこの様な止め部材は構造が簡単で、安価に製造することができる。
【００２２】
尚止め部材における上記リング状の支持軸係止部としてはＵリングやＥリングが挙げられ、また支持軸係止部としては上記リング状のものの他、例えば支持軸に設けられた穴に装入するタイプのもの等であっても良い。
【００２３】
加えて本発明に係る画像形成装置は、上記支持構造を画像処理機能部に備え、この画像処理機能部における画像処理機能の少なくとも一部を搭載する移動部が、前記支持軸に沿って移動するものであることを特徴とする。尚画像処理機能部としては画像読取部や印刷部（インク噴出部）等が挙げられる。
【００２４】
仮に上記従来例▲１▼，▲２▼では、上記移動部が移動することによって支持軸も軸方向にずれてしまい、移動部の位置精度を高く保つことが困難となるが、本発明の様に支持軸が殆ど移動しないものでは、移動部の位置精度が向上する。
【００２５】
例えば複写機等の画像読取部における走査動作部の支持として、上記の如く支持構造を採用すれば、支持軸がしっかりと固定されているから走査動作部の画像読み取り精度が向上し、極めて高精度の画像データを得ることが可能となる。またインク噴出ノズル部を走査して印刷を行うタイプのインクジェットプリンターの様に、インク噴出ノズル部が支持軸に支持されつつこの支持軸の軸方向に移動する構成のものにおいて、上記支持構造を適用すれば、上記と同様に支持軸がしっかりと固定されているから、より高精度に転写用紙に印刷することができる。
【００２６】
更に本発明の画像形成装置において、前記移動部が、原稿面を照射する光源と、原稿面からの反射光束を受光する受光センサー（光電変換部）と、前記光源と前記受光センサー間に形成される光路上に配設され、前記反射光束を受光センサーの受光面で結像させる光学系（例えば反射鏡やレンズ等）とを備えた画像読取ユニットを有してなることが好ましい。
【００２７】
画像読取部としては、２つの移動部を用いて、１つの移動部（走査動作部）に露光ランプ（光源）と上記光学系の一部（一部の反射鏡）を搭載し、他の移動部に残りの光学系及び受光センサー（例えばＣＣＤ）を搭載して、これら２つの移動部を相対的に移動させて画像読取りを行う構成のもの（以下、２体相対移動タイプと称することがある）もあるが、この２体相対移動タイプの場合は、移動部同士に相互のズレを生じ、その結果、画像精度が低下する懸念がある。この点において上記の如く本発明においては、１つの移動部に光源（露光ランプ），光学系，及び受光センサーが搭載された構成となっており、これらが一体となって移動するので、上記の様な移動部同士のズレに起因した精度低下がなく、従って画像の読み取り精度が一層向上する。
【００２８】
またインクジェットプリンターにおいて、噴射ノズル及びインク容器の両方を１つの移動部に搭載したものとすれば、これらが一体で移動することになるから、移動部上の噴射ノズルと本体に固定されたインク容器とをつなぐインクチューブが、移動部の移動に対して負荷を与えることにより、微妙な位置のズレを生じさせる様なことがなくなり、より高精細に印刷することが期待できる。
【００２９】
【発明の実施の形態】
以下本発明に係る支持構造及び画像形成装置に関して、例を示す図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００３０】
先ず本発明の一実施形態に係る複写機（画像形成装置）の一例について説明する。
【００３１】
図１は該複写機を示す全体断面図である。この複写機は、装置本体の下部に配設された給紙部１００と、この給紙部１００の上方に配設された用紙搬送部２００と、この用紙搬送部２００の上方に配設された画像形成部３００と、この画像形成部３００よりも排出側に配設された定着部４００と、これらの画像形成部３００および定着部４００の上方に配設された光学系部材などからなる画像読取部（スキャナー部）５００を備えている。
【００３２】
給紙部１００は、給紙カセット１１１に積層載置された転写用紙１１５の束から１枚ずつ用紙搬送部２００に給紙するようになっている。用紙搬送部２００は、給紙部１００から給紙された転写用紙１１５を、各種ローラ対２０２，２０３によって画像形成部３００に向けて搬送し、さらに画像形成部３００から定着部４００において画像形成がなされた転写用紙１１５を排出ローラ対２０５によって排出トレイ２０４上に排出するようになっている。
【００３３】
画像形成部３００は、電子写真プロセスによって転写用紙１１５に所定のトナー像を形成するものであり、回転可能に軸支された感光体ドラム３０１と、この感光体ドラム３０１の周囲に、帯電ユニット３０２、露光ユニット３０３、現像ユニット３０４、転写ユニット３０５、クリーナー３０６および除電ユニット３０７を備えている。
【００３４】
定着部４００は、画像形成部３００においてトナー像が転写された転写用紙１１５を、加熱ローラ４０１と加圧ローラ４０２によって挟んで加熱し、転写用紙１１５上にトナー像を定着させるものである。
【００３５】
画像読取部５００は、コンタクトガラス５０１上に載置された原稿に、露光ランプ（光源）５０２から光を照射し、その反射光を反射鏡５０５ａ，５０５ｂ，５０５ｃ及びレンズ５０７を介してＣＣＤラインセンサ等からなる光電変換部５０６に導くことにより、原稿の画像情報を読み取るものである。なお、露光ランプ５０２，反射鏡５０５ａ，５０５ｂ，５０５ｃ，レンズ５０７及び受光センサー（例えばＣＣＤ）５０６は一体となって走査動作部（移動部）６２に収納されており、この走査動作部６２が、所定の速度で図１の左右方向（後述の図２，３における矢印Ｃ方向）に移動領域５０８を移動動作することにより、コンタクトガラス５０１上に載置された原稿の全面を走査し、原稿全面の画像を読み取ることができる様になっている。尚画像読取部５００によって読み取られた原稿の画像データは上記露光ユニット３０３に送られ、この画像データに基づいてレーザ発光器３３１から出力されるレーザ光を、ポリゴンミラー３３２および反射鏡３３３を介して感光体ドラム３０１に照射することにより、感光体ドラム３０１表面の電位を選択的に減衰させ、この感光体ドラム３０１の表面に静電潜像を形成する。
【００３６】
図２，３は上記画像読取部５００を示す斜視図であり、これらの図により左右からの斜視像を表す。また図４，５は本発明の一実施形態に係る支持構造を説明する為の図であって、図４は支持軸１５の一方端側の取付の様子を表す斜視図であり、図５は支持軸１５の他方端側の取付の様子を表す斜視図である。尚図８と同じ構成部分については同一の符号を付して重複説明を避ける。
【００３７】
図４，５に示す様に画像読取部５００のフレーム１９には、支持軸１５の両端部の取付位置に対応して軸受１８，１６が備えられており、軸受１８には支持軸１５の一方端取付用の取付穴１８ａが形成され、軸受１６には支持軸１５の他方端取付用の取付穴１６ａが形成されている。また上記軸受１８の上端には、支持軸１５の軸方向と直交する方向に突出した凸部１８ｂが設けられている。
【００３８】
図４に示す様に支持軸１５の一方端側には、その外周部を一周する溝部１５ａが形成されている。尚図５に示す様に支持軸１５の他方端側には溝部は形成されていない。
【００３９】
止め部材１１は、支持軸係止部１２と、フレーム係止部１４と、摘み部１３とからなり、上記支持軸係止部１２のそれぞれの脚部１２ａ，１２ｂは支持軸１５の軸方向と直交する方向に伸びてこれら脚部１２ａ，１２ｂによってＵリング状を形成し、支持軸１５の上記溝部１５ａと嵌合可能となっている。また上記フレーム係止部１４には支持軸１５の軸方向と直交する方向に開口した貫通孔（貫通孔部）１４ａが形成されており、この貫通孔１４ａと上記フレーム１９の凸部１８ｂが嵌合可能となっている。
【００４０】
フレーム１９に支持軸１５を取り付けるにあたっては、まず取付穴１８ａに支持軸１５の一方端側を深く装入し（図４の矢印Ａ）、続いて支持軸１５の他方端側を取付穴１６ａに装入することによって（図５の矢印Ａ’）、深く装入した支持軸１５の一方端側を少し抜き戻し（図４の矢印Ｄ）、これにより支持軸１５を所定位置に位置させる。
【００４１】
次に止め部材１１における支持軸係止部１２の脚部１２ａ，１２ｂを支持軸１５の溝部１５ａに嵌着させつつ、フレーム係止部１４の貫通孔１４ａにフレーム１９の凸部１８ｂを嵌着させる（図４の矢印Ｂ）。尚この操作は止め部材１１の摘み部１３を持って行えば取扱い易い。
【００４２】
図６は上記の如く止め部材１１を取り付けた状態を表す斜視図であり、図７はこの断面図である。尚図２，３はこの様にして支持軸１５をフレーム１９に取り付けた状態を示している。
【００４３】
支持軸１５はその溝部１５ａに止め部材１１の脚部１２ａ，１２ｂが嵌め込まれているから、支持軸１５は止め部材１１に対して軸方向に動かない。そして止め部材１１はその貫通孔１４ａに上記フレーム１９の凸部１８ｂが嵌め込まれているから、止め部材１１はフレーム１９に対して軸方向に動かない。従って支持軸１５はフレーム１９に対して軸方向に動かないこととなる。尚支持軸１５の溝部１５ａとしては、止め部材１１の脚部１２ａ，１２ｂとの幅が適合していれば良く、その形成位置については精度が求められない。上記幅が適合により、止め部座１１と支持軸１５との軸方向の位置ずれは生じないからである。
【００４４】
この様に止め部材１１によって支持軸１５は微動だにせずしっかりと固定され、装入方向Ａにも抜出方向Ｄにも動かないから、支持軸１５に支持されて移動する走査動作部６２の走行がより安定して位置精度が向上する（図２，３）。その結果、極めて高精度の画像データを得ることができる。しかも本実施形態の複写機では１つの移動部６２に露光ランプ５０２，反射鏡５０５ａ，５０５ｂ，５０５ｃ，レンズ５０７及び受光センサー５０６が一体となって搭載されているから、更に画像読取り精度に優れる。
【００４５】
加えて上記の様に支持軸１５の取付操作は、支持軸１５の一方端に対して止め部材１１を取り付けるだけであり、支持軸１５の他方端においては取付穴１６ａに装入するのみであるから、作業が簡素化されることに加えて、従来では２つの止め部材を要していたのに対して、１つの止め部材１１だけで済み、部品点数が削減され、コストを低減できる。更に従来では支持軸１５の他方端にも止め部材取付用の溝部の形成加工が必要であったが、これを省略することができ、この点においてもコストを削減することができる。しかも支持軸１５の一方端側の溝部１５ａの加工についても、上記の如く形成位置の精度はあまり要求されないから、加工コストが低減する。
【００４６】
尚支持軸１５の取付手順としては、先に支持軸１５の他方端側を取付穴１６ａに深く装入し（図５の矢印Ａ’）、次いで支持軸１５の一方端側を取付穴１８ａに装入して（図４の矢印Ａ）支持軸１５を所定位置に位置させる様にしても良い。
【００４７】
また上記例ではフレーム１９に凸部１８ｂを設け、止め部材１１のフレーム係止部１４に貫通孔１４ａを設けたものを示したが、これに限るものではなく、例えばフレーム１９の軸受１８に凹部を形成し、この凹部に嵌合する凸部を止め部材１１のフレーム係止部１４に形成したものであっても良い。
【００４８】
加えて上記では複写機の画像読取部を例に挙げて説明したが、ファクシミリ装置の画像読取部においても同様に適用できる。更に例えばインク噴出ノズル部を走査して印刷を行うタイプのインクジェットプリンターの様に、インク噴出ノズル部が支持軸に支持されつつこの支持軸の軸方向に移動する構成のものにも、上記支持構造を適用できる。
【００４９】
【発明の効果】
本発明に係る支持構造によれば、支持軸の両端側をそれぞれフレームに取り付けるタイプにおいて、支持軸がよりしっかりと動かない様に固定される。加えて支持軸の取付工程が簡略化され、また従来よりも部品点数が削減され、支持軸の加工の省略も行うことができるから、製造コストが低減する。
【００５０】
また本発明に係る画像形成装置は、上記支持構造を備えるから、例えば画像読取部の走査動作部を支持する支持軸が安定し、またインク噴出ノズル部を支持する支持軸が安定するから、より高精度に画像の読み取りやインクの噴出を行うことができる。
【図面の簡単な説明】
【図１】本発明に係る画像形成装置（複写機）を示す全体断面図。
【図２】本発明に係る画像形成装置の画像読取部を示す斜視図。
【図３】本発明に係る画像形成装置の画像読取部を示す斜視図。
【図４】支持軸の一方端側の取付の様子を表す斜視図。
【図５】支持軸の他方端側の取付の様子を表す斜視図。
【図６】本発明の止め部材を取り付けた状態を表す斜視図。
【図７】本発明の止め部材を取り付けた状態を表す断面図。
【図８】従来の複写機の画像読取部を示す斜視図。
【図９】従来例▲１▼におけるフレームへの支持軸の固定状態を表す断面図。
【図１０】従来例▲１▼における支持軸の一方端側の取付の様子を表す斜視図。
【図１１】従来例▲２▼における支持軸の取付機構を示す断面図。
【図１２】従来例▲３▼における軸の一方端側固定タイプを示す断面図。
【符号の説明】
１１  止め部材
１２  支持軸係止部
１４  フレーム係止部
１５  支持軸
１５ａ  溝部
１６ａ，１８ａ  取付穴
１８ｂ  凸部
１９  フレーム
６２  走査動作部
５００  画像読取部
【図１】
2004272119.tif 000003
【図２】
2004272119.tif 000004
【図３】
2004272119.tif 000005
【図４】
2004272119.tif 000006
【図５】
2004272119.tif 000007
【図６】
2004272119.tif 000008
【図７】
2004272119.tif 000009
【図８】
2004272119.tif 000010
【図９】
2004272119.tif 000011
【図１０】
2004272119.tif 000012
【図１１】
2004272119.tif 000013
【図１２】
2004272119.tif 000014